【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
撮像部の撮像により得られた原画像に基づいて１以上の特徴点を検出する特徴点検出部と、
ユーザの操作に応じて前記１以上の特徴点から選択される特徴点を含む部分画像を切り出す部分画像切り出し部と、
前記部分画像切り出し部に切り出される前記部分画像を符号化処理する画像符号化部と、
前記符号化処理された前記部分画像を記録部に記録させる記録制御部と、
を具備する画像処理装置。
【請求項２】
前記部分画像切り出し部は、特徴点がほぼ一定の位置となるように切り出し領域を決定する、
請求項１に記載の画像処理装置。
【請求項３】
前記特徴点検出部により検出された１以上の特徴点をユーザに提示して、前記ユーザからの特徴点の選択又は選択切り替え操作を受け付ける特徴点提示部をさらに備え、
前記部分画像切り出し部は、提示された１以上の特徴点の候補の中からユーザが選択した特徴点を含む部分画像を切り出す、
請求項１に記載の画像処理装置。
【請求項４】
部分画像として切り出す特徴点を変更する特徴点変更部をさらに備える、
請求項１に記載の画像処理装置。
【請求項５】
前記画像符号化部は、所定の枚数の画面を符号化単位とした符号化処理を行なっており、
前記特徴点変更部によって部分画像として切り出すべき特徴点が第１の特徴点から第２の特徴点に切り換えられた時点で、前記画像符号化部では前記第１の特徴点に係る部分画像について符号化単位における符号化処理の途中である場合には、前記画像符号化部が当該符号化単位の符号化処理を終了した後に、前記第２の特徴点に係る部分画像の動画記録処理を再開する、
請求項４に記載の画像処理装置。
【請求項６】
前記画像符号化部は、所定の枚数の画面を単位とした符号化処理を行なっており、
前記特徴点変更部によって部分画像として切り出すべき特徴点が第１の特徴点から第２の特徴点に切り換えられた際に、前記画像符号化部は、当該切り換え時点において符号化処理の途中となっている符号化単位についての符号化処理を終了させるまでの間の前記第２の特徴点に係る部分画像をバッファリングし、当該符号化単位についての符号化処理が終了してからバッファリングされた前記第２の特徴点に係る部分画像の符号化処理を開始する、
請求項４に記載の画像処理装置。
【請求項７】
撮像部の撮像により得られた原画像に基づいて１以上の特徴点を検出する特徴点検出ステップと、
ユーザの操作に応じて前記１以上の特徴点から選択される特徴点を含む部分画像を切り出す部分画像切り出しステップと、
前記部分画像切り出しステップにおいて切り出される前記部分画像を符号化処理する画像符号化ステップと、
前記符号化処理された前記部分画像を記録部に記録させる記録制御ステップと、
を有する画像処理方法。
【請求項８】
動画像を記録するための処理をコンピュータ上で実行するようにコンピュータ可読形式で記述されたコンピュータ・プログラムであって、前記コンピュータを、
撮像部の撮像により得られた原画像に基づいて１以上の特徴点を検出する特徴点検出手段、
ユーザの操作に応じて前記１以上の特徴点から選択される特徴点を含む部分画像を切り出す部分画像切り出し手段、
前記部分画像切り出し手段に切り出される前記部分画像を符号化処理する画像符号化手段、
前記符号化処理された前記部分画像を記録部に記録させる記録制御手段、
として実行させるためのコンピュータ・プログラム。
【手続補正２】
【補正対象書類名】明細書
【補正対象項目名】発明の名称
【補正方法】変更
【補正の内容】
【発明の名称】画像処理装置及び画像処理方法、並びにコンピュータ・プログラム
【手続補正３】
【補正対象書類名】明細書
【補正対象項目名】０００１
【補正方法】変更
【補正の内容】
【０００１】
本発明は、デジタルビデオカメラの撮影映像などの記録処理を行なう画像処理装置及び画像処理方法、並びにコンピュータ・プログラムに係り、特に、顔検出や顔認識といった画像認識技術を利用して撮影映像などの記録処理を行なう画像処理装置及び画像処理方法、並びにコンピュータ・プログラムに関する。
【手続補正４】
【補正対象書類名】明細書
【補正対象項目名】０００２
【補正方法】変更
【補正の内容】
【０００２】
さらに詳しくは、本発明は、動画記録用画素数よりも高い解像度で撮像された原画像から人物の顔などの特徴点を含む部分的な領域からなる部分画像を記録する画像処理装置及び画像処理方法、並びにコンピュータ・プログラムに係り、特に、複数の特徴点を含む原画像からユーザが所望する特徴点を含む部分画像を記録する画像処理装置及び画像処理方法、並びにコンピュータ・プログラムに関する。
【手続補正５】
【補正対象書類名】明細書
【補正対象項目名】００１２
【補正方法】変更
【補正の内容】
【００１２】
本発明の目的は、顔検出や顔認識といった画像認識技術を利用して撮影映像などの記録処理を好適に行なうことができる、優れた画像処理装置及び画像処理方法、並びにコンピュータ・プログラムを提供することにある。
【手続補正６】
【補正対象書類名】明細書
【補正対象項目名】００１３
【補正方法】変更
【補正の内容】
【００１３】
本発明のさらなる目的は、動画記録用画素数よりも高い解像度で撮像された原画像から人物の顔などの特徴点を含む部分的な領域からなる部分画像を好適に記録することができる、優れた画像処理装置及び画像処理方法、並びにコンピュータ・プログラムを提供することにある。
【手続補正７】
【補正対象書類名】明細書
【補正対象項目名】００１４
【補正方法】変更
【補正の内容】
【００１４】
本発明のさらなる目的は、複数の特徴点を含む原画像からユーザが所望する特徴点を含む部分画像を好適に記録することができる、優れた画像処理装置及び画像処理方法、並びにコンピュータ・プログラムを提供することにある。
【手続補正８】
【補正対象書類名】明細書
【補正対象項目名】００１５
【補正方法】変更
【補正の内容】
【００１５】
本願は、上記課題を参酌してなされたものであり、請求項１に記載の発明は、
撮像部の撮像により得られた原画像に基づいて１以上の特徴点を検出する特徴点検出部と、
ユーザの操作に応じて前記１以上の特徴点から選択される特徴点を含む部分画像を切り出す部分画像切り出し部と、
前記部分画像切り出し部に切り出される前記部分画像を符号化処理する画像符号化部と、
前記符号化処理された前記部分画像を記録部に記録させる記録制御部と、
を具備する画像処理装置である。
【手続補正９】
【補正対象書類名】明細書
【補正対象項目名】００２２
【補正方法】変更
【補正の内容】
【００２２】
また、本願の請求項７に記載の発明は、
撮像部の撮像により得られた原画像に基づいて１以上の特徴点を検出する特徴点検出ステップと、
ユーザの操作に応じて前記１以上の特徴点から選択される特徴点を含む部分画像を切り出す部分画像切り出しステップと、
前記部分画像切り出しステップにおいて切り出される前記部分画像を符号化処理する画像符号化ステップと、
前記符号化処理された前記部分画像を記録部に記録させる記録制御ステップと、
を有する画像処理方法である。
【手続補正１０】
【補正対象書類名】明細書
【補正対象項目名】００２３
【補正方法】変更
【補正の内容】
【００２３】
また、本願の請求項８に記載の発明は、  動画像を記録するための処理をコンピュータ上で実行するようにコンピュータ可読形式で記述されたコンピュータ・プログラムであって、前記コンピュータを、
撮像部の撮像により得られた原画像に基づいて１以上の特徴点を検出する特徴点検出手段、
ユーザの操作に応じて前記１以上の特徴点から選択される特徴点を含む部分画像を切り出す部分画像切り出し手段、
前記部分画像切り出し手段に切り出される前記部分画像を符号化処理する画像符号化手段、
前記符号化処理された前記部分画像を記録部に記録させる記録制御手段、
として実行させるためのコンピュータ・プログラムである。
【手続補正１１】
【補正対象書類名】明細書
【補正対象項目名】００２４
【補正方法】変更
【補正の内容】
【００２４】
本願の請求項８に係るコンピュータ・プログラムは、コンピュータ上で所定の処理を実現するようにコンピュータ可読形式で記述されたコンピュータ・プログラムを定義したものである。換言すれば、本願の請求項８に係るコンピュータ・プログラムをコンピュータにインストールすることによって、コンピュータ上では協働的作用が発揮され、本願の請求項１に係る画像処理装置と同様の作用効果を得ることができる。
【手続補正１２】
【補正対象書類名】明細書
【補正対象項目名】００２５
【補正方法】変更
【補正の内容】
【００２５】
本発明によれば、顔検出や顔認識といった画像認識技術を利用して撮影映像などの記録処理を好適に行なうことができる、優れた画像処理装置及び画像処理方法、並びにコンピュータ・プログラムを提供することができる。
【手続補正１３】
【補正対象書類名】明細書
【補正対象項目名】００２６
【補正方法】変更
【補正の内容】
【００２６】
また、本発明によれば、動画記録用画素数よりも高い解像度で撮像された原画像から人物の顔などの特徴点を含む部分的な領域からなる部分画像を好適に記録することができる、優れた画像処理装置及び画像処理方法、並びにコンピュータ・プログラムを提供することができる。
【手続補正１４】
【補正対象書類名】明細書
【補正対象項目名】００２７
【補正方法】変更
【補正の内容】
【００２７】
また、本発明によれば、複数の特徴点を含む原画像からユーザが所望する特徴点を含む部分画像を好適に記録することができる、優れた画像処理装置及び画像処理方法、並びにコンピュータ・プログラムを提供することができる。